(57)【要約】【課題】電源が投入されてから使用可能な状態になるまでの時間を短縮し、かつ、その後に煩雑な操作を必要としない電子黒板装置を提供する。【解決手段】電子黒板装置１００は表示装置２００及び制御装置３００を含む。表示装置２００は、制御装置３００よりも起動が速い制御部２１０と、表示装置２００の表示の制御を制御部２１０と制御装置との間で切替える入力切替部２５０とを含む。制御部２１０は表示装置２００の表示を制御する。制御部２１０はさらに、制御装置３００の起動を検出する。入力切替部２５０は制御部２１０によって制御装置３００の起動が検出されると、表示装置２００の表示の制御を制御装置３００による制御に切替える。制御装置３００は、制御部２１０よりも表示を制御する機能が多い電子黒板アプリケーションソフトにより表示装置２００の表示を制御する。【選択図】図２
2015158828.tif 000002
【特許請求の範囲】
【請求項１】
表示装置及び制御装置を含む電子黒板装置であって、
前記表示装置は、
前記制御装置よりも起動が速い制御部と、
前記表示装置の表示の制御を前記制御部と前記制御装置との間で切替えるための切替手段とを含み、
前記制御部は、
前記表示装置の表示を制御するための手段と、
前記制御装置の起動を検出するための起動検出手段とを含み、
前記切替手段は、前記起動検出手段が前記制御装置の起動を検出した後に、前記表示装置の表示の制御を前記制御装置による制御に切替えるための手段を含み、
前記制御装置は、前記制御部よりも表示を制御する機能が多い所定のアプリケーションソフトウェアにより前記表示装置の表示を制御するための表示制御手段を含む、電子黒板装置。
【請求項２】
前記制御装置は、前記制御部によって前記表示装置に表示された画像のデータを取得するための手段をさらに含み、
前記表示制御手段は、取得した画像データを前記アプリケーションソフトウェアに読込ませて、当該画像データを読込んだ前記アプリケーションソフトウェアにより前記表示装置の表示を制御するための手段を含む、請求項１に記載の電子黒板装置。
【請求項３】
前記制御部はさらに、
前記制御装置と通信するための通信手段と、
前記起動検出手段が前記制御装置の起動を検出したことに応答して、前記表示装置に表示された画像のデータを記憶するための記憶手段と、
前記記憶手段に記憶された画像のデータを、前記通信手段を介して前記制御装置に送信するための送信手段とを含む、請求項１又は請求項２に記載の電子黒板装置。
【請求項４】
前記制御部はさらに、
前記制御装置と通信するための通信手段と、
前記起動検出手段が前記制御装置の起動を検出したことに応答して、前記制御装置が起動したことをユーザに通知するための通知手段と、
前記通知手段の通知に対するユーザの指示入力を受付けるための指示受付手段と、
前記指示受付手段が指示を受付けたことに応答して、前記表示装置に表示された画像のデータを記憶するための記憶手段と、
前記記憶手段に記憶された画像のデータを、前記通信手段を介して前記制御装置に送信するための送信手段とを含む、請求項１又は請求項２に記載の電子黒板装置。
【請求項５】
前記制御部はさらに、
前記制御装置と通信するための通信手段と、
前記アプリケーションソフトウェアを立ち上げるためのコマンドを、前記通信手段を介して前記制御装置に送信するための手段を含み、
前記切替えるための手段は、前記送信するための手段が前記コマンドを前記制御装置に送信したことに応答して、前記表示装置の表示の制御を前記制御装置による制御に切替えるための手段を含む、請求項１に記載の電子黒板装置。
【請求項６】
前記制御装置は、自装置の起動が完了したことに応答して、予め設定された特定のフォルダ内に特定のファイルを作成するための手段をさらに含み、
前記起動検出手段は、前記特定のフォルダ内に前記特定のファイルが存在するか否かに応じて、前記制御装置の起動を検出するための手段を含む、請求項１〜請求項５のいずれかに記載の電子黒板装置。
【請求項７】
前記電子黒板装置は、ネットワーク上の外部機器と通信するための手段をさらに含み、
前記特定のフォルダは前記外部機器に予め設定されている、請求項６に記載の電子黒板装置。
【発明の詳細な説明】
【技術分野】
【０００１】
本発明は、表示装置及び制御装置を含む電子黒板装置に関する。
【背景技術】
【０００２】
近年、タッチ描画表示装置の１つである、会議等で用いられる電子黒板として、様々な構成のものが実用化されている。特に、大型の表示画面を有する表示パネルと、２次元における位置座標を検知するタッチパネルとを組合せ、コンピュータシステムとして構成された電子黒板装置が利用されている。
【０００３】
一般的に、電子黒板装置は、ペン等によって指定される位置座標及び移動量の情報を逐次読取り、読取った情報を元に入力の軌跡を表示装置に表示する。これによって、電子黒板装置は手書き入力等の、電子黒板としての動作を実現している。
【０００４】
後掲の特許文献１には、表示パネル部及びパッチパネル部を含む表示装置と、パーソナルコンピュータからなるコンピュータ装置とを含む電子情報ボードシステム（電子黒板システム）が開示されている。表示装置のフレーム部にはコントローラ部が設けられている。コントローラ部は、電子情報ボードプログラムにおける各種機能を選択するための機械的なボタンスイッチが複数配されたボタンユニットからなる。コンピュータ装置は電子情報ボードプログラムを記憶しており、ユーザからの起動要求の入力を検出すると、電子情報ボードプログラムを起動して実行する。特許文献１では、表示パネル部上で電子情報ボードプログラムの起動要求が行なわれると、コンピュータ装置はハイエンドユーザ向けの第１のモードでプログラムを起動する。コントローラ部から起動要求が行なわれると、コンピュータ装置は第１のモードよりも機能の選択に関する操作が簡略化された、ローエンドユーザ向けの第２のモードでプログラムを起動する。
【先行技術文献】
【特許文献】
【０００５】
【特許文献１】特開２００６−３３１２６３号公報
【発明の概要】
【発明が解決しようとする課題】
【０００６】
パーソナルコンピュータは電源が投入されてから起動が完了するまでに時間がかかる。特許文献１では、パーソナルコンピュータからなるコンピュータ装置を含むため、ユーザが電源を投入しても直ぐには電子情報ボードシステムを使用できないという問題がある。第１のモードと第２のモードとでプログラムの起動時間に差がある場合、起動時間が早い方のモードでプログラムを起動すれば、電子情報ボードシステムの起動に要する時間が若干短縮される。しかし、特許文献１のシステムでは、一旦どちらかのモードでプログラムが起動すると、起動したままモードを切替えることができない。そのため、例えばローエンドユーザ向けの第２のモードでプログラムを起動した後に、機能の選択に関する操作が簡略化されていない第１のモードを利用したい場合、第１のモードへの切替に煩雑な操作が必要となる。すなわち、特許文献１では、使用可能な状態になるまでの時間を短縮しようとすると、その後に煩雑な操作が必要となるおそれがあるという問題もある。
【０００７】
本発明は、上記のような課題を解決するためになされたものであり、本発明の１つの目的は、電源が投入されてから使用可能な状態になるまでの時間を短縮し、かつ、その後に煩雑な操作を必要としない電子黒板装置を提供することである。
【課題を解決するための手段】
【０００８】
上記目的を達成するために、本発明の一の局面に係る電子黒板装置は、表示装置及び制御装置を含む電子黒板装置である。この電子黒板装置において、表示装置は、制御装置よりも起動が速い制御部と、表示装置の表示の制御を制御部と制御装置との間で切替えるための切替手段とを含む。制御部は、表示装置の表示を制御するための手段と、制御装置の起動を検出するための起動検出手段とを含む。切替手段は、起動検出手段が制御装置の起動を検出した後に、表示装置の表示の制御を制御装置による制御に切替えるための手段を含む。制御装置は、制御部よりも表示を制御する機能が多い所定のアプリケーションソフトウェアにより表示装置の表示を制御するための表示制御手段を含む。
【０００９】
表示装置は制御装置よりも起動が速い制御部を含む。電源が投入されると、制御装置よりも先に制御部が起動する。表示装置は制御部によりその表示が制御される。そのため、電源が投入されてから使用可能な状態になるまでの時間が短縮される。制御部により表示装置の表示が制御されている間に制御装置の起動が完了すると、制御部は制御装置が起動したことを検出する。表示装置は、表示の制御を制御装置による制御に切替える。制御装置は、制御部よりも表示を制御する機能が多い所定のアプリケーションソフトウェアにより表示装置の表示を制御する。したがって、電子黒板装置が使用可能な状態となった後に煩雑な操作を必要とせずに、機能が多いアプリケーションソフトウェアに切替えることができる。
【００１０】
好ましくは、制御装置は、制御部によって表示装置に表示された画像のデータを取得するための手段をさらに含み、表示制御手段は、取得した画像データをアプリケーションソフトウェアに読込ませて、当該画像データを読込んだアプリケーションソフトウェアにより表示装置の表示を制御するための手段を含む。
【００１１】
より好ましくは、制御部はさらに、制御装置と通信するための通信手段と、起動検出手段が制御装置の起動を検出したことに応答して、表示装置に表示された画像のデータを記憶するための記憶手段と、記憶手段に記憶された画像のデータを、通信手段を介して制御装置に送信するための送信手段とを含む。
【００１２】
さらに好ましくは、制御部はさらに、制御装置と通信するための通信手段と、起動検出手段が制御装置の起動を検出したことに応答して、制御装置が起動したことをユーザに通知するための通知手段と、通知手段の通知に対するユーザの指示入力を受付けるための指示受付手段と、指示受付手段が指示を受付けたことに応答して、表示装置に表示された画像のデータを記憶するための記憶手段と、記憶手段に記憶された画像のデータを、通信手段を介して制御装置に送信するための送信手段とを含む。
【００１３】
さらに好ましくは、制御部はさらに、制御装置と通信するための通信手段と、アプリケーションソフトウェアを立ち上げるためのコマンドを、通信手段を介して制御装置に送信するための手段を含み、切替えるための手段は、送信するための手段がコマンドを制御装置に送信したことに応答して、表示装置の表示の制御を制御装置による制御に切替えるための手段を含む。
【００１４】
さらに好ましくは、制御装置は、自装置の起動が完了したことに応答して、予め設定された特定のフォルダ内に特定のファイルを作成するための手段をさらに含み、起動検出手段は、特定のフォルダ内に特定のファイルが存在するか否かに応じて、制御装置の起動を検出するための手段を含む。
【００１５】
さらに好ましくは、電子黒板装置は、ネットワーク上の外部機器と通信するための手段をさらに含み、特定のフォルダは外部機器に予め設定されている。
【発明の効果】
【００１６】
以上より、本発明によれば、電源が投入されてから使用可能な状態になるまでの時間を短縮し、かつ、その後に煩雑な操作を必要としない電子黒板装置を得ることができる。
【図面の簡単な説明】
【００１７】
【図１】本発明の第１の実施の形態に係る電子黒板装置の外観を示す図である。
【図２】図１に示す電子黒板装置の構成を概略的に示す図である。
【図３】図２に示す表示装置のハードウェア構成を示す制御ブロック図である。
【図４】図３に示す制御部のハードウェア構成をより詳細に示す図である。
【図５】図２に示す制御装置のハードウェア構成を示す制御ブロック図である。
【図６】図２に示す表示装置で実行されるプログラムの制御構造を示すフローチャートである。
【図７】図２に示す制御装置で実行されるプログラムの制御構造を示すフローチャートである。
【図８】電子黒板装置の表示部に表示される画面の一例を示す図である。
【図９】電子黒板装置の表示部に表示される画面の一例を示す図である。
【図１０】電子黒板装置の表示部に表示される画面の一例を示す図である。
【図１１】本発明の第２の実施の形態に係る電子黒板装置の構成を示す図である。
【図１２】本発明の第３の実施の形態に係る電子黒板装置の表示部に表示される画面の一例を示す図である。
【図１３】本発明の第３の実施の形態に係る電子黒板装置の表示部に表示される画面の一例を示す図である。
【図１４】本発明の第３の実施の形態に係る電子黒板装置の表示部に表示される画面の一例を示す図である。
【図１５】本発明の第４の実施の形態に係る電子黒板装置（表示装置）で実行されるプログラムの制御構造を示すフローチャートである。
【発明を実施するための形態】
【００１８】
以下の実施の形態では、同一の部品には同一の参照番号を付してある。それらの機能及び名称も同一である。したがって、それらについての詳細な説明は繰返さない。
【００１９】
（第１の実施の形態）
［全体構成］
図１を参照して、本実施の形態に係る電子黒板装置１００は大型のディスプレイを含む表示入力装置である。電子黒板装置１００は種々のアプリケーションソフトを起動することが可能であり、起動したアプリケーションソフトに対応した機能を実現する。アプリケーションソフトは、電子黒板装置１００の主要な機能である、タッチペン８０等による描画（手書き入力）を実現する電子黒板アプリケーションソフト（以下「電子黒板アプリ」又は「ペンソフト」と呼ぶ場合がある。）を含む。
【００２０】
図２を参照して、電子黒板装置１００は、大型のディスプレイを含む表示装置２００と、コンピュータからなる制御装置３００とを含む。表示装置２００と制御装置３００とはケーブル９０を介して電気的に接続されている。表示装置２００は組込デバイスからなる制御部２１０を含む。制御部２１０には、組込ＯＳ（Ｏｐｅｒａｔｉｎｇ  Ｓｙｓｔｅｍ）とともに、簡易的な電子黒板システムが組込まれている。電子黒板システムは簡易的なペンソフトとしての機能を持つ。
【００２１】
制御装置３００は例えばパーソナルコンピュータ（以下「ＰＣ」と記す。）からなり、種々のアプリケーションソフトを起動することが可能である。制御装置３００には上記ペンソフトが予めインストールされている。インストールされているペンソフトは制御部２１０の電子黒板システムとデータ互換が可能である。このペンソフトは簡易的なペンソフトではないため、制御部２１０の電子黒板システムに比べて高機能である。したがって、機能が充実したペンソフトにより電子黒板としての動作を実現させるために、制御装置３００により電子黒板装置１００全体の制御を行なうのが好ましい。
【００２２】
しかし、ＰＣからなる制御装置３００は電源が投入されてから起動が完了するまでに時間がかかる。一方、組込デバイスからなる制御部２１０は、ＰＣからなる制御装置３００に比べて起動が速いため制御装置３００よりも先に起動する。そのため、本実施の形態に係る電子黒板装置１００では、制御装置３００が起動するまでは、先に起動した制御部２１０の電子黒板システムにより電子黒板としての機能を使用可能とし、高機能のペンソフトを搭載した制御装置３００が起動すると、電子黒板装置１００の制御を制御装置３００による制御に切替える。
【００２３】
制御部２１０はさらに、制御装置３００の起動が完了したことを検出する機能を持つ。再び図１を参照して、電子黒板装置１００は、ネットワーク回線５０を介してネットワーク上の外部機器６０と接続される。外部機器６０は例えばサーバ装置等の情報処理装置であり、図示しない記憶装置を含む。外部機器６０の記憶装置には予め特定のフォルダ７０が設定されている。制御装置３００は、起動が完了したときに上記フォルダ７０内に特定のファイルを作成する。制御部２１０はこの特定のフォルダ７０を監視している。制御部２１０は、特定のフォルダ７０内に特定のファイルが作成されたことを検出するとことによって制御装置３００の起動が完了したことを検出する。
【００２４】
表示装置２００は、制御装置３００の起動が完了すると、電子黒板装置１００の制御を制御装置３００による制御に切替える。
【００２５】
［ハードウェア構成］
以下において、「タッチ」とは入力位置の検出装置が位置を検出可能な状態になることを意味し、検出装置に接触して押圧する場合、押圧せずに接触する場合、及び、接触せずに近接する場合を含む。入力位置の検出装置には、接触型に限らず非接触型の装置を用いることもできる。非接触型の検出装置の場合には「タッチ」とは、入力位置を検出可能な距離まで検出装置に近接した状態を意味する。
【００２６】
図２を参照して、上述のように、電子黒板装置１００は表示装置２００と制御装置３００とを含む。図３を参照して、表示装置２００は、制御部２１０に加えて、表示部２３０、タッチ検出部２４０、入力切替部２５０、及びバス２６０をさらに含む。制御部２１０は、電子黒板としての機能を実現するために、表示装置２００全体を制御する。制御部２１０は、所定のプログラムを実行するＣＰＵ（Ｃｅｎｔｒａｌ  Ｐｒｏｃｅｓｓｉｎｇ  Ｕｎｉｔ）２１２と、コンピュータプログラム等を記憶する記憶装置２１４とを含む。制御部２１０の詳細については後述する。
【００２７】
バス２６０には、制御部２１０、表示部２３０、タッチ検出部２４０、及び入力切替部２５０が接続される。各部間のデータ（制御情報を含む）交換は、バス２６０を介して行なわれる。表示部２３０は画像を表示するための表示パネル（例えば液晶パネル等）である。タッチ検出部２４０は、例えばタッチパネルであり、ユーザによるタッチ（タッチ操作）を検出する。表示部２３０及びタッチ検出部２４０は、一体型のいわゆるタッチパネルディスプレイとして構成される。
【００２８】
入力切替部２５０は、制御部２１０の制御の下で、表示部２３０の表示の制御を制御部２１０と制御装置３００との間で切替える。すなわち、入力切替部２５０は、表示部２３０への画像の入力を制御部２１０からの入力又は制御装置３００からの入力に切替える。
【００２９】
図４を参照して、制御部２１０は簡易的な電子黒板システムが組込まれた組込デバイスであり、ファイル有無判断部２２０、表示制御部２２２、入力部２２４、記憶部２２６、及び通信インターフェイス（以下「通信ＩＦ」と記す。）２２８を含む。ファイル有無判断部２２０は、ネットワーク上の特定のフォルダ７０内に特定のファイルが作成されているか否かを判定する。すなわち、特定のフォルダ７０内に特定のファイルが作成されると、当該特定のファイルが作成されたことを検出する。
【００３０】
表示制御部２２２は表示部２３０の表示を制御する。入力部２２４はタッチ検出部２４０から得た情報（座標データ）をもとに処理内容を決定し、手書き入力等の処理を実行する。記憶部２２６は通電が遮断された場合にもデータを保持する不揮発性の記憶装置である。入力部２２４を介して入力された入力データ（例えば描画データ等）がある場合、記憶部２２６はこれらのデータを記憶する。通信ＩＦ２２８は、ネットワーク回線５０及びケーブル９０等とのインターフェイスをとる。表示装置２００は、通信ＩＦ２２８を介して、ネットワーク上の外部機器６０、及び制御装置３００等とデータ通信を行なうことができる。
【００３１】
図５を参照して、制御装置３００は、所定のプログラムを実行することにより電子黒板装置１００の全体の制御を実現するためのＣＰＵ３０２と、電子黒板装置１００の電源が投入されたときにＣＰＵ３０２が読出すプログラムを記憶する読出専用メモリ（ＲＯＭ（Ｒｅａｄ  Ｏｎｌｙ  Ｍｅｍｏｒｙ））３０４と、ＣＰＵ３０２が作業用メモリとして使用するランダム・アクセス・メモリ（ＲＡＭ（Ｒａｎｄｏｍ  Ａｃｃｅｓｓ  Ｍｅｍｏｒｙ））３０６と、電子黒板装置１００の電源が切断されたときに記録を保持することが可能な記憶装置３０８と、タッチ検出部２４０から得た情報（座標データ）をもとに、処理内容を決定する入力処理部３１０と、ＣＰＵ３０２の制御にしたがって表示装置２００による画像の表示を制御する表示制御部３１２と、表示装置２００に表示させる画像を保持するビデオメモリ（ＶＲＡＭ）３１４と、制御部２１０から送信されるコマンドを受信するコマンド受信部３１６と、コマンド受信部３１６がコマンドを受信したことに応答して所定のアプリケーションソフトを立ち上げるアプリ起動制御部３１８と、電子黒板装置１００に対してネットワーク等の外部との接続を提供する通信ＩＦ３２０と、これらを互いに接続し、相互の間のデータ及び制御信号の通信を可能にするバス３２２とを含む。
【００３２】
ＲＯＭ３０４は、電子黒板装置１００の電源投入時にＣＰＵ３０２が実行し、電子黒板装置１００が所定の動作をするように電子黒板装置１００の全体を設定するためのプログラム及びデータを記憶している。電子黒板装置１００の動作を実現するためのプログラムもＲＯＭ３０４に記憶されている。記憶装置３０８は、通電が遮断された場合にもデータを保持する不揮発性記憶装置であり、例えば、ハードディスクドライブ又はフラッシュメモリ等である。記憶装置３０８は制御装置３００に対して着脱可能でもよい。記憶装置３０８は、ＣＰＵ３０２が実行するプログラムの一部を記憶することもできる。ＣＰＵ３０２は、通常動作時には、バス３２２を介してＲＯＭ３０４又は記憶装置３０８からプログラムをＲＡＭ３０６上にロードし、図示しないプログラムカウンタにより指定されるアドレスから命令を順次読出して実行する。ＣＰＵ３０２は、ＲＯＭ３０４及び記憶装置３０８に格納されているプログラムにしたがって電子黒板装置１００を構成する各部の制御を行なう。
【００３３】
表示制御部３１２は、表示部２３０を駆動するための駆動部を備え、ＶＲＡＭ３１４に記憶された画像データを所定のタイミングで読出し、表示部２３０に画像を表示させる信号を生成して、表示部２３０に出力する。表示される画像データは、ＣＰＵ３０２がＲＡＭ３０６又は記憶装置３０８から読出して、ＶＲＡＭ３１４に伝送する。
【００３４】
記憶装置３０８には、電子黒板アプリであるペンソフトが記憶されている。アプリ起動制御部３１８は、コマンド受信部３１６がコマンドを受信したことに応答して、このペンソフトを立ち上げる（起動する）。
【００３５】
通信ＩＦ３２０は、ＣＰＵ３０２の制御の下で、ネットワーク回線５０及びケーブル９０等とのインターフェイスをとる。表示装置２００は、通信ＩＦ３２０を介して、ネットワーク上の外部機器６０、及び表示装置２００等とデータ通信を行なうことができる。
【００３６】
［ソフトウェア構成］
図６を参照して、制御部２１０の電子黒板システムにより電子黒板としての機能を使用可能とし、制御装置３００が起動すると、電子黒板装置１００の制御を制御装置３００による制御に切替えるために、電子黒板装置１００の表示装置２００で実行されるコンピュータプログラムの制御構造について説明する。
【００３７】
このプログラムは、表示装置２００に電源が投入されたことに応じて開始する。このプログラムは、電子黒板システムを起動するステップＳ１０００と、ステップＳ１０００の後に実行され、ファイル有無判断部２２０を介して、ネットワーク上の特定のフォルダ７０内に特定のファイルが作成されているか否かを判定し、特定のファイルが作成されるまで待機するステップＳ１０１０と、ステップＳ１０１０において、特定のフォルダ７０内に特定のファイルが作成されていると判定された場合に実行され、表示制御部２２２を介して、制御装置３００の起動が完了したこと（ＰＣの準備ができたこと）を示すアイコンを表示部２３０にポップアップ表示させるステップＳ１０２０とを含む。
【００３８】
ステップＳ１０００において電子黒板システムが起動すると、表示部２３０には図８に示す画面４００が表示される。図８を参照して、画面４００は、ユーザによる描画が可能な描画領域４１０と、ユーザが利用する機能を指定するための機能ボタン領域４２０とを含む。描画領域４１０には、ユーザがタッチ操作によって描画できる。機能ボタン領域４２０には、複数の機能ボタンが表示されている。各機能ボタンは、アイコンとして表示されている。電子黒板システムは、簡易的なペンソフトとして機能するため、電子黒板としての基本的な機能のみを有する。そのため、機能ボタン領域４２０に表示される機能ボタン（アイコン）は、電子黒板としての基本的な機能に対応したものとなっている。機能ボタンに割当てられる機能は、例えば、タッチ操作による描画機能、描画像を削除する消しゴム機能、保存されているファイルを開く機能、表示されている描画像を保存する機能等である。図９を参照して、制御装置３００の起動が完了すると、制御装置３００の起動が完了したことを示すアイコン４３０が表示部２３０にポップアップ表示される。
【００３９】
再び図６を参照して、このプログラムはさらに、ステップＳ１０２０の後に実行され、ポップアップ表示されたアイコン４３０（図９参照）がユーザによって操作されたか否かを判定し、アイコン４３０が操作されるまで待機するステップＳ１０３０と、ステップＳ１０３０において、アイコン４３０が操作されたと判定された場合に実行され、ユーザにより入力された入力データ（描画データ）があるか否かを判定し、判定結果に応じて制御の流れを分岐させるステップＳ１０４０と、ステップＳ１０４０において、ユーザにより入力された入力データがあると判定された場合に実行され、当該入力データを記憶部２２６に保存するステップＳ１０５０と、ステップＳ１０５０の後に実行され、通信ＩＦ２２８を介して、保存した入力データを制御装置３００に送信するステップＳ１０６０と、ステップＳ１０６０の後、又はステップＳ１０４０において、入力された入力データがないと判定された場合に実行され、通信ＩＦ２２８を介して、電子黒板アプリ（ペンソフト）を起動させるためのコマンドを制御装置３００に送信するステップＳ１０７０と、ステップＳ１０７０の後に実行され、入力切替部２５０を制御して、表示部２３０への画像の入力を制御部２１０による入力から制御装置３００による入力に切替えるステップＳ１０８０とを含む。ステップＳ１０８０の処理が終了すると、このプログラムは終了する。
【００４０】
再び図９を参照して、ユーザによりアイコン４３０が操作されると、ステップＳ１０４０において、ユーザによって描画領域４１０に描画が行なわれているか否かが判定される。ユーザによって描画が行なわれている場合、ステップＳ１０４０では、ユーザにより入力された入力データがあると判定される。この場合、制御部２１０は、ユーザにより入力された入力データを記憶部２２６に保存し、保存した入力データを制御装置３００に送信する。
【００４１】
図７を参照して、制御部２１０の電子黒板システムにより電子黒板としての機能を使用可能とし、制御装置３００が起動すると、電子黒板装置１００の制御を制御装置３００による制御に切替えるために、電子黒板装置１００の制御装置３００で実行されるコンピュータプログラムの制御構造について説明する。
【００４２】
このプログラムは、制御装置３００に電源が投入され、起動が完了したことに応じて開始する。このプログラムは、ネットワーク上の特定のフォルダ７０内に特定のファイルを作成するステップＳ２０００と、ステップＳ２０００の後に実行され、コマンド受信部３１６が表示装置２００（制御部２１０）からのコマンドを受信したか否かを判定し、コマンドを受信するまで待機するステップＳ２０１０と、ステップＳ２０１０において、コマンド受信部３１６によってコマンドが受信されたと判定された場合に実行され、アプリ起動制御部３１８に電子黒板アプリ（ペンソフト）を起動させるステップＳ２０２０と、ステップＳ２０２０の後に実行され、表示装置２００（制御部２１０）からの入力データを、通信ＩＦ３２０を介して受信しているか否かを判定し、判定結果に応じて制御の流れを分岐させるステップＳ２０３０と、ステップＳ２０３０において、入力データを受信していると判定された場合に実行され、受信した入力データを電子黒板アプリで読出して表示部２３０に表示させるステップＳ２０４０とを含む。ステップＳ２０３０において、入力データを受信していないと判定された場合、又はステップＳ２０４０の処理が終了すると、このプログラムは終了する。
【００４３】
図１０を参照して、表示部２３０への画像の入力が切替えられると、表示部２３０には画面５００が表示される。画面５００は、ユーザによる描画が可能な描画領域５１０と、ユーザが利用する機能を指定するための機能ボタン領域５２０とを含む。機能ボタン領域５２０には、複数の機能ボタンがアイコンとして表示されている。電子黒板アプリは高機能のペンソフトであるため、機能ボタン領域５２０には、機能ボタン領域４２０（図８参照）に比べてより多くの機能ボタンが配置されている。機能ボタン領域５２０に表示される機能ボタンに割当てられる機能は、例えば、タッチ操作による描画機能（ペンの種類を選択する機能を含む。）、保存されているファイル（画像データ）を開く機能、描画像を削除する消しゴム機能、記憶装置３０８等に記憶されている画像データ及び表示データ等を表示する機能、表示されている画像を保存する機能、表示されている画像を印刷する機能等である。
【００４４】
電子黒板アプリは、制御部２１０から送信された入力データを読出して表示部２３０に表示するため、図９に示されるように、描画領域４１０に描画が行なわれている場合には、図１０に示す描画領域５１０にも同じ描画像が表示される。
【００４５】
［動作］
本実施の形態に係る電子黒板装置１００は以下のように動作する。以下の説明では、電子黒板装置１００の動作の内、本発明に関連する部分のみを説明する。他の動作は従来の電子黒板装置の動作と同様である。
【００４６】
電子黒板装置１００において、表示装置２００及び制御装置３００の電源がユーザによってＯＮにされる。表示装置２００は組込まれた電子黒板システムを立ち上げる（図６に示すステップＳ１０００）。制御装置３００は起動に時間がかかるため、起動が速い制御部２１０の方が先に起動する。
【００４７】
図８を参照して、電子黒板装置１００（表示部２３０）には、電子黒板システムによって画面４００が表示される。ユーザは、タッチペン８０（図１参照）を用いて画面４００の描画領域４１０に描画（手書き入力）を行なうことができる。制御装置３００が起動するまでの間、ユーザは電子黒板システムを使用して画面に描画を行なうものとする。
【００４８】
制御装置３００の起動が完了すると、制御装置３００は、通信ＩＦ３２０を介して、ネットワーク上の特定のフォルダ７０内に特定のファイルを作成する（図７に示すステップＳ２０００）。制御部２１０（電子黒板システム）は、特定のフォルダ７０を定期的に監視している。ファイル有無判断部２２０が特定のフォルダ７０内に特定のファイルが作成されたことを検出すると（図６に示すステップＳ１０１０においてＹＥＳ）、表示制御部２２２は制御装置３００の起動が完了したこと（ＰＣの準備ができたこと）を示すアイコン４３０を表示部２３０にポップアップ表示させる（ステップＳ１０２０）。
【００４９】
図９を参照して、表示部２３０にアイコン４３０がポップアップ表示されることによって、ユーザは制御装置３００の起動が完了したことを認識する。ユーザによってアイコン４３０が操作されると（ステップＳ１０３０においてＹＥＳ）、制御部２１０は表示装置２００の画面に描画（手書き入力）が行なわれているか否かを判定する。描画（手書き入力）が行なわれている場合（ステップＳ１０４０においてＹＥＳ）、制御部２１０は描画像のデータ（入力データ）を記憶部２２６に保存する（ステップＳ１０５０）。制御部２１０は保存したデータを、通信ＩＦ２２８を介して制御装置３００に送信する（ステップＳ１０６０）。制御部２１０はさらに、通信ＩＦ２２８を介して、電子黒板アプリ（ペンソフト）を立ち上げるためのコマンドを制御装置３００に送信する（ステップＳ１０７０）。
【００５０】
制御装置３００のコマンド受信部３１６は、制御部２１０から送信されたコマンドを受信すると（図７に示すステップＳ２０１０においてＹＥＳ）、アプリ起動制御部３１８が電子黒板アプリを起動する（ステップＳ２０２０）。そのとき、制御部２１０（電子黒板システム）から入力データ（例えば描画データ）を受け取っていれば（ステップＳ２０３０においてＹＥＳ）、電子黒板アプリにてそのデータを開く（ステップＳ２０４０）。
【００５１】
表示装置２００の入力切替部２５０は、表示部２３０への画像の入力を、制御部２１０による入力から制御装置３００による入力に切替える（図６に示すステップＳ１０８０）。図１０を参照して、表示装置２００には、電子黒板アプリによる画面５００が表示される。制御装置３００が起動するまでの間に、ユーザによって描画像が書込まれている場合、制御装置３００による入力に切替えられた後の画面５００においても同じ描画像が表示される。
【００５２】
なお、入力切替部２５０は、表示装置２００の電源がＯＦＦ又はＯＮにされたタイミングで、表示部２３０への画像の入力を制御装置３００による入力から制御部２１０による入力に切替えるように構成されていると好ましい。また、特定のフォルダ７０内に作成された特定のファイルは、所定のタイミング（例えば制御装置３００の電源がＯＦＦにされたタイミング）で削除されるように構成されていると好ましい。
【００５３】
［作用・効果］
以上の説明から明らかなように、本実施の形態に係る電子黒板装置１００を利用することにより、以下に述べる効果を奏する。
【００５４】
表示装置２００は制御装置３００よりも起動が速い制御部２１０を含む。電源が投入されると、制御装置３００よりも先に制御部２１０が起動する。表示装置２００は制御部２１０によりその表示が制御される。そのため、電源が投入されてから使用可能な状態になるまでの時間が短縮される。制御部２１０により表示装置２００の表示が制御されている間に制御装置３００の起動が完了すると、制御部２１０は制御装置３００が起動したことを検出する。入力切替部２５０は、表示の制御を制御装置３００による制御に切替える。制御装置３００は、制御部２１０よりも表示を制御する機能が多い電子黒板アプリにより表示装置２００の表示を制御する。したがって、電子黒板装置１００が使用可能な状態となった後に煩雑な操作を必要とせずに、高機能の電子黒板アプリに切替えることができる。
【００５５】
電子黒板装置１００を例えば会議で使用する場合、会議の開始時は起動の速い組込デバイス（制御部２１０）の電子黒板システムにより当該電子黒板装置１００に描画等を行ない、ＰＣからなる制御装置３００が起動すると、機能の充実した電子黒板アプリにより描画等を行ないながら会議を進めることができる。手書き入力を行なった描画像は、高機能の電子黒板アプリに切替わった後も表示されるため、非常に簡単に組込デバイス（制御部２１０）から制御装置３００に作業環境を移行できる。
【００５６】
（第２の実施の形態）
図１１を参照して、本実施の形態に係る電子黒板装置１０００は、表示装置１２００と制御装置１３００とが無線により通信可能に接続されている点において、第１の実施の形態に係る電子黒板装置１００と異なる。その他の点では、各電子黒板装置は同一の構成である。
【００５７】
表示装置１２００は、組込デバイスからなる制御部１２１０を含む。本実施の形態に係る電子黒板装置１０００では、特定のフォルダ内に特定のファイルが作成されたことを検出する方法とは異なる方法により、制御装置１３００が起動を完了したことを制御部１２１０が検出する。
【００５８】
制御装置１３００は無線通信のアクセスポイントを持っており、制御装置１３００の起動が完了すると自動的にアクセスポイントがＯＮになる。制御部１２１０は制御装置１３００と無線による通信が可能か否かを監視している。制御装置１３００の起動が完了してアクセスポイントがＯＮになると制御部１２１０は当該アクセスポイントに接続することが可能となる。すなわち、制御部１２１０は制御装置１３００と無線による通信が可能となる。制御部１２１０は、制御装置１３００のアクセスポイントに接続されたことを検出することによって、制御装置１３００の起動が完了したことを検出する。
【００５９】
（第３の実施の形態）
本実施の形態に係る電子黒板装置は、制御部の電子黒板システムによって表示される画面と、制御装置の電子黒板アプリによって表示される画面とがほぼ同じである点において、第１の実施の形態に係る電子黒板装置１００と異なる。その他の点では、各電子黒板装置は同一の構成である。
【００６０】
制御部の電子黒板システムが起動すると、表示部２３０には図１２に示す画面６００が表示される。図１２を参照して、画面６００は、ユーザによる描画が可能な描画領域６１０と、ユーザが利用する機能を指定するための機能ボタン領域６２０とを含む。機能ボタン領域６２０には、複数の機能ボタンがアイコンとして表示されている。機能ボタン領域６２０は、制御装置の電子黒板アプリによって表示される画面の機能ボタン領域と同じであり、表示される機能ボタン（アイコン）も同じである。ただし、画面６００では、電子黒板システムにおいて実行可能な機能（電子黒板としての基本的な機能）が割当てられた機能ボタン（アイコン６２２）のみが操作可能に表示されている。その他の機能ボタン（アイコン６２４）は、操作ができない状態（グレーアウト）で表示されている。
【００６１】
図１３を参照して、制御装置の起動が完了すると、そのことを示すアイコン６３０が表示部２３０に表示される。ユーザによってアイコン６３０が操作されると、制御装置の電子黒板アプリが起動し、表示部２３０の表示が電子黒板アプリによる画面表示に切替わる。
【００６２】
図１４を参照して、表示部２３０には電子黒板アプリによる画面７００が表示される。画面７００は、描画領域６１０と同じ描画領域７１０と、機能ボタン領域７２０とを含む。画面７００では、機能ボタン領域７２０内の全ての機能ボタン（アイコン）が操作可能な状態で表示されている。すなわち、電子黒板システムによる画面７００では、グレーアウトで表示されていたアイコン６２４と同じアイコン７２４が、操作可能な状態となっている。アイコン６２２に対応するアイコン７２４は、画面７００においても同じ状態、すなわち操作可能な状態が維持される。
【００６３】
このように、制御部の電子黒板システムによって表示される画面６００と、制御装置の電子黒板アプリによって表示される画面７００とを同じ構成にすることによって、表示部２３０の表示が電子黒板アプリによる画面表示に切替わった場合でも、画面のレイアウト、及び画面の表示態様等がほとんど変化しない。したがって、表示部２３０の表示が電子黒板アプリによる画面表示に切替わった場合でも、ユーザに違和感を与えることなく電子黒板装置を使用させることができる。
【００６４】
（第４の実施の形態）
本実施の形態に係る電子黒板装置は、制御装置の起動が完了すると、表示部の表示が電子黒板アプリによる画面表示に自動的に切替わる点において、第１の実施形態に係る電子黒板装置１００と異なる。その他の点では、各電子黒板装置は同一の構成である。
【００６５】
［ソフトウェア構成］
本実施の形態に係る電子黒板装置の表示装置では、図６に示されるプログラムに代えて、図１５に示されるプログラムが実行される。図１５のプログラムは、図６のプログラムにおいてステップＳ１０２０及びステップＳ１０３０の処理が省略されている。図１５において、ステップＳ３０００及びステップＳ３０１０における処理は、図６に示されるステップＳ１０００及びステップＳ１０１０における処理と同じである。ステップＳ３０２０〜ステップＳ３０６０における処理は、図６に示されるステップＳ１０４０〜ステップＳ１０８０における処理と同じである。
【００６６】
本実施の形態に係る電子黒板装置の制御装置では、図７に示されるプログラムと同じプログラムが実行される。
【００６７】
［動作］
本実施の形態に係る電子黒板装置は以下のように動作する。なお、同様の動作についての詳細な説明は繰返さない。
【００６８】
電子黒板装置の電源がＯＮされると、表示装置は組込まれた電子黒板システムを立ち上げる（ステップＳ３０００）。制御部は特定のフォルダ内に特定のファイルが作成されたことを検出することによって、制御装置の起動が完了したことを検出する（ステップＳ３０１０においてＹＥＳ）。制御装置の起動が完了すると、制御部は、表示装置の画面に描画（手書き入力）が行なわれているか否かを判定する。描画（手書き入力）が行なわれている場合（ステップＳ３０２０においてＹＥＳ）、制御部は描画像のデータ（入力データ）を保存する（ステップＳ３０３０）。制御部は保存したデータを、通信ＩＦを介して制御装置に送信する（ステップＳ３０４０）。制御部はさらに、通信ＩＦを介して電子黒板アプリ（ペンソフト）を立ち上げるためのコマンドを制御装置に送信する（ステップＳ３０５０）。その後、制御部は、表示装置の入力切替部を制御して、表示部への画像の入力を、制御部による入力から制御装置による入力に切替える（ステップＳ３０６０）。
【００６９】
［作用・効果］
本実施の形態に係る電子黒板装置では、ＰＣからなる制御装置の電子黒板アプリが起動すると、自動的に、表示装置への画像の入力が、制御部（電子黒板システム）による入力から制御装置（電子黒板アプリ）による入力に切替わる。したがって、制御装置による制御に切替わったことをユーザに意識させることなく、高機能の電子黒板アプリを使用可能な状態にすることができる。さらに、本実施の形態を第３の実施の形態に適用すれば、制御装置による制御に切替わったことをユーザにより一層意識させることなく、高機能の電子黒板アプリを使用可能な状態にすることができる。
【００７０】
（変形例）
上記実施の形態では、ネットワーク上の外部機器に特定のフォルダを設定する例について示したが、本発明はそのような実施の形態には限定されない。特定のフォルダはネットワーク上の外部機器以外の機器に設定されていてもよい。例えば、制御装置の記憶装置に設定されていてもよい。制御装置又は表示装置が、ＵＳＢメモリ等の外部記憶媒体を装着することが可能に構成されていれば、装着された外部記憶媒体に特定のフォルダを設定してもよい。
【００７１】
上記実施の形態では、ユーザによって描画されたデータを制御部から制御装置に直接送信する例について示したが、本発明はそのような実施の形態には限定されない。例えば、ユーザによって描画されたデータを制御部が特定のフォルダ内に保存し、制御装置が特定のフォルダ内からそのデータを取得する構成であってもよい。
【００７２】
上記実施の形態では、制御部の制御の下で、入力切替部が、表示部への画像の入力を制御部による入力から制御装置による入力に切替える例について示したが、本発明はそのような実施の形態には限定されない。例えば、電子黒板アプリケーションソフトが起動された後に、制御装置の制御の下で、入力切替部が、表示部への画像の入力を切替えるように構成されていてもよい。
【００７３】
上記実施の形態では、制御部からのコマンドを受信したことに応答して、制御装置が電子黒板アプリを起動する例について示したが、本発明はそのような実施の形態には限定されない。例えば、制御装置の起動が完了すると、当該制御装置において自動的に電子黒板アプリが起動するように構成されていてもよい。
【００７４】
上記実施の形態では、制御装置の起動が完了したことを示すアイコンを表示部にポップアップ表示する例について示したが、制御装置の起動が完了したことをより認識し易くするために、上記アイコンを点滅表示させてもよい。さらに、制御装置の起動が完了したことをユーザに通知する方法は、アイコンの表示による方法以外でもよい。例えば音声で通知する方法、表示装置のフレーム部分に表示灯を設けて、その表示灯を点灯又は点滅させることにより通知する方法等でもよい。タッチペンを振動させることによって通知する方法でもよい。
【００７５】
上記実施の形態において、表示装置と制御装置との接続は、ケーブルを介して接続される構成でもよいし、ネットワークを介して接続される構成でもよい。
【００７６】
上記で開示された技術を適宜組合せて得られる実施の形態についても、本発明の技術的範囲に含まれる。
【００７７】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【００７８】
１００、１０００          電子黒板装置
２００、１２００          表示装置
２１０、１２１０          制御部
２１４                    記憶装置
２２０                    ファイル有無判断部
２２２                    表示制御部
２２４                    入力部
２２６                    記憶部
２２８、３２０            通信ＩＦ
２３０                    表示部
２４０                    タッチ検出部
２５０                    入力切替部
３００、１３００          制御装置
３０８                    記憶装置
３１０                    入力処理部
３１２                    表示制御部
３１６                    コマンド受信部
３１８                    アプリ起動制御部
【図１】
2015158828.tif 000003
【図２】
2015158828.tif 000004
【図３】
2015158828.tif 000005
【図４】
2015158828.tif 000006
【図５】
2015158828.tif 000007
【図６】
2015158828.tif 000008
【図７】
2015158828.tif 000009
【図８】
2015158828.tif 000010
【図９】
2015158828.tif 000011
【図１０】
2015158828.tif 000012
【図１１】
2015158828.tif 000013
【図１２】
2015158828.tif 000014
【図１３】
2015158828.tif 000015
【図１４】
2015158828.tif 000016
【図１５】
2015158828.tif 000017